(57)【特許請求の範囲】
【請求項１】
搬送中のシート状をなす感光材料を順次露光する露光処理装置に向けて搬送する搬送系を備え、該搬送系が、上流側から搬送されてきた感光材料を両面から圧着し、且つ所定方向に回転して圧着した感光材料を露光処理装置に向けて送り出すローラ対と、該ローラ対の少なくとも何れか一方のローラを回転駆動させる駆動源と、前記ローラ対の圧着を解除する圧着解除機構とを備えた写真処理装置において、前記圧着解除機構が、前記駆動源に接続されて前記所定方向の回転に対して逆回転方向の回転のみを伝達する回転伝達機構により構成され、しかもローラ対を相対的に離間させるべく、回転伝達機構が逆回転方向の回転力を他方のローラに作用させるように構成されてなること特徴とする写真処理装置。
【請求項２】
前記回転伝達機構は、前記逆回転方向の回転により、他方のローラを一方のローラに対して離間方向に押圧する押圧体を備えてなる請求項１に記載の写真処理装置。
【請求項３】
前記押圧体が、前記回転伝達機構の回転軸心と同一回転軸を有する偏心カムからなる請求項２記載の写真処理装置。
【請求項４】
前記搬送系は、ローラ対を圧着させるように、少なくとも何れか一方のローラを他方のローラに向けて付勢する付勢手段を更に備えてなる請求項１乃至３の何れかに記載の写真処理装置。
【請求項５】
前記付勢手段が、弾性体からなり、該弾性体の弾性力によってローラ対が圧着するように、前記弾性力をローラ対間に相対的に作用させてなる請求項４記載の写真処理装置。
【請求項６】
前記弾性体が、他方のローラを一方のローラに向けて付勢する圧縮バネからなる請求項５記載の写真処理装置。
【発明の詳細な説明】
【発明の属する技術分野】
本発明は、画像情報に基づいて露光した感光材料を現像して当該感光材料に画像を形成する写真処理装置に関する。
【０００１】
【従来の技術】
従来から画像データを基に感光材料に露光処理を施し、その後に該感光材料に現像処理を施して当該感光材料に画像を形成するデジタルプリント方式を採用した写真処理装置が周知である。
【０００２】
デジタルプリント方式の露光処理装置は、ＰＬＺＴ素子からなる光シャッターを介して光源の光を感光材料に照射させるものや、レーザー発光素子から発せられるレーザー光を感光材料に照射するものがあるが、これらの露光処理装置の何れもが、感光材料を所定速度で搬送させつつ、画像データを基に感光材料の搬送方向に対して直交方向のライン状に露光を順次行う、いわゆる、走査露光方式が採用されている。
【０００３】
該露光処理装置は、感光材料を搬送させつつ露光処理すべく、感光材料にライン状の露光を行う露光領域に対して上流側、及び下流側のそれぞれに、所定速度で感光材料を搬送する露光用搬送ローラ対が設けられており、該露光処理装置の上流側には、当該露光処理装置に向けて感光材料を搬送するローラ対が設けられている。該上流側のローラ対は、露光処理装置の処理速度と、露光処理装置に向けて搬送する感光材料の搬送速度とを対応させるべく、露光用搬送ローラ対の駆動源とは別の回転速度の制御が可能な駆動源（パルスモータ）で駆動されるように構成されている。
【０００４】
ところで、上記構成の露光処理装置で、搬送方向の長さが露光処理装置の露光用搬送ローラ対と上流側のローラ対との間隔より長い感光材料を露光処理すると、該感光材料は、露光処理装置の上流側の露光用搬送ローラ対、及び該露光処理装置の上流側に配置されたローラ対の両方により搬送された状態で露光処理されることになる。
【０００５】
この場合、露光用搬送ローラ対の駆動系と上流側のローラ対の駆動系との回転駆動誤差が生じたり、露光用搬送ローラ対及び上流側のローラ対の少なくとも何れか一方に、搬送すべく感光材料に対して滑りが生じたりすると、露光用搬送ローラ対と上流側のローラ対との間で搬送速度差が生じ、露光中の感光材料に引っ張り作用が生じる場合がある。そのため、感光材料に対する引っ張りや、引っ張り状態にある感光材料に上流側のローラ対の回転による振動が、露光処理中の感光材料に伝達されてしまい、露光処理に悪影響を与えてしまう場合がある。すなわち、走査露光は、感光材料を一定速度で搬送し且つ感光材料の乳剤面を露光における焦点位置に維持させた状態で行わなければならないが、感光材料に引っ張りが生じたり、振動が伝達したりすると、焦点位置がずれて画像がぶれた状態で感光材料に形成されてしまう。
【０００６】
そこで、写真処理装置は、露光中の感光材料をローラ対が露光領域に向けて強制的に送り込んだり、露光中の感光材料に引っ張りや振動が作用したりしないように、感光材料がライン状に露光される露光領域に到達する前（感光材料が露光処理装置における上流側の露光用搬送ローラ対間に到達した際）に、ローラ対の感光材料に対する圧着を解除する圧着解除機構を備えている。
【０００７】
かかる圧着解除機構は、当該圧着解除機構を動作させるＤＣモータと、前記ＤＣモータ等を搭載したフレームに長手方向の中間部が枢着されるとともに、ローラ対のうちの一方のローラの回転軸を一端部で軸支した棒状の圧着解除アームと、前記ＤＣモータに接続され、圧着解除アームの他端部を押圧して圧着解除アームを傾動させるカムとを備えている。
【０００８】
かかるローラ対の圧着を解除するには、感光材料が露光処理装置の露光用搬送ローラ対間に到達した際に、ＤＣモータを駆動してカムを所定角度（微小な回転角度）だけ回転させる。こうすることで、前記カムにより圧着解除アームの他端部が押圧され、圧着解除アームが傾動するため、一方のローラが他方のローラから離間し、ローラ対による感光材料の圧着が解除される。
【０００９】
したがって、露光処理する感光材料が、搬送方向の長さが露光処理装置の露光用搬送ローラ対と上流側のローラ対との間隔より長いものであっても、該感光材料が露光処理装置に送り込まれて露光処理される際には、露光用搬送ローラ対のみにより搬送されるので、上流側のローラ対による感光材料への振動等の伝達が防止され、感光材料を露光処理装置で円滑に露光処理することができ、鮮明な画像を感光材料に形成することができる。
【００１０】
【発明が解決しようとする課題】
しかしながら、ローラ対による感光材料の搬送、及び当該ローラ対の圧着の解除を行うには、前述の如く、ローラ対を回転させるパルスモータ、及びローラ対の圧着を解除するＤＣモータの二つの駆動源を設けなければならない。このため、上記構成のローラ対及び圧着解除機構で搬送系を構成した場合には、多くのモータが必要となり、その上、各モータからの駆動を伝達する部品の点数が多くなる。したがって、従来の写真処理装置は、感光材料を搬送するための多くのモータ及び部品を必要とするため、コスト的に不経済であった。また、上述の如く、多くのモータ、及び部品を配置しなければならないため、搬送系、引いては写真処理装置が大型化してしまうといった問題があった。
【００１１】
さらに、ローラ対の圧着、及び圧着の解除を行う際に、カムを微小な回転角度で回転させて行うため、ローラ対の圧着解除用のＤＣモータのブラシ等の焼き付きが発生し、ＤＣモータの寿命が短命になる場合があった。これを改善すべく、微小な回転角度で制御しても短命とならないパルスモータを採用しても、該パルスモータは、高価であるため、部品コストが高騰してしまう。
【００１２】
そこで、本発明は、斯かる実情に鑑み、部品コストの高騰を押さえ、且つ露光処理装置に向けて感光材料を搬送するローラ対の円滑な駆動を確保するとともに、ローラ対を駆動する駆動源で該ローラ対の圧着解除を行うことができる搬送系を備えた写真処理装置を提供することを課題とする。
【００１３】
【課題を解決するための手段】
本発明 にかかる写真処理装置は、請求項１に記載の如く、搬送中のシート状をなす感光材料を順次露光する露光処理装置に向けて搬送する搬送系を備え、該搬送系が、上流側から搬送されてきた感光材料を両面から圧着し、且つ所定方向に回転して圧着した感光材料を露光処理装置に向けて送り出すローラ対と、該ローラ対の少なくとも何れか一方のローラを回転駆動させる駆動源と、前記ローラ対の圧着を解除する圧着解除機構とを備えた写真処理装置において、前記圧着解除機構が、前記駆動源に接続されて前記所定方向の回転に対して逆回転方向の回転のみを伝達する回転伝達機構により構成され、しかもローラ対を相対的に離間させるべく、回転伝達機構が逆回転方向の回転力を他方のローラに作用させるように構成されてなること特徴とする。なお、回転伝達機構における駆動源との接続は、駆動源に直接接続される場合や、ローラを介して接続される場合を含むものである。また、回転力を作用させるとは、回転力を他方のローラに直接的に作用させる場合や、間接的に作用させる場合等を含むものである。さらに、圧着とは、ローラ対で感光材料を挟持する以外に、ローラ対のローラ同士が当接することも含む概念である。
【００１４】
上記構成の写真処理装置によれば、露光中の感光材料に振動等の悪影響を与えるのを防止すべく、ローラ対の圧着を解除する際に、駆動源の回転を逆回転方向にすれば、回転伝達機構が逆回転方向の回転力を他方のローラに作用させて他方のローラを一方のローラから離間させてローラ対の圧着を解除することができ、露光処理装置で搬送されつつ露光処理される感光材料に振動などが伝達されず、正確且つ円滑な露光処理を行うことができる。
【００１５】
したがって、上述のように感光材料を搬送するローラ対の回転駆動と、ローラ対の圧着を解除する圧着解除機構の駆動とを一つの駆動源から得ることができ、従来のようなローラ対の圧着解除専用の駆動源を必要としない。これに伴って、生産コストを削減することができ、しかも従来の駆動源の設置していたスペースをなくすことができ、写真処理装置をコンパクトにすることができる。
【００１６】
また、請求項２記載の如く、前記回転伝達機構は、前記逆回転方向の回転により、他方のローラを一方のローラに対して離間方向に押圧する押圧体を備えてもよい。なお、離間方向に押圧とは、該押圧による押圧力がローラ対の離間方向（軸間方向）に直接作用する以外に、他方のローラを押圧した押圧力の分力がローラ対の離間方向に作用することも含むもの含むものである。このようにすれば、逆回転方向の回転力を、押圧体を介して他方のローラに作用させることができ、ローラ対を円滑に離間（圧着解除）させることができる。
【００１７】
さらに、請求項３記載の如く、前記押圧体が、前記回転伝達機構の回転軸心と同一回転軸を有する偏心カムからなれば、駆動源が逆回転方向の回転し、偏心カムにおける回転中心から外周面までの距離（曲率半径）が、ローラ対の軸間距離より長くなる位置の外周面で他方のローラを押圧した際に、該偏心カムの外周面における曲率半径の変化に対応して、ローラ対が徐々に離間して圧着が解除される。
【００１８】
また、この状態でさらに駆動源を同方向（前記逆回転方向）に回転させることで、他方のローラを押圧した偏心カムの外周面と回転軸心との距離が徐々に短くなるので、付勢手段で付勢されたローラ対が再度圧着するようになる。したがって、ローラ対の圧着の解除又は圧着させる際に、ローラ同士が衝撃を有して離間或いは当接することがなく、振動等に敏感な露光処理に悪影響を与えるのを防止することができる。
【００１９】
また、請求項４記載の如く、前記搬送系は、ローラ対を圧着させるように、少なくとも何れか一方のローラを他方のローラに向けて付勢する付勢手段を更に備えてもよい。このようにすれば、ローラ対の圧着が解除された状態から、駆動源の回転を感光材料を搬送方向に対応した回転方向に切り替えると、回転伝達機構は、当該回転を伝達しない状態（フリー状態）となるので、押圧体による他方のローラへの押圧が解除され、付勢手段の付勢力により他方のローラが一方のローラに向けて付勢され、ローラ対を再度圧着することができる。
【００２０】
また、請求項５記載の如く、前記付勢手段が、弾性体からなり、該弾性体の弾性力によってローラ対が圧着するように、前記弾性力をローラ対間に相対的に作用させるようにすれば、簡易な構成でローラ対を圧着させることができる。
【００２１】
また、請求項６記載の如く、前記弾性体が、他方のローラを一方のローラに向けて付勢する圧縮バネからなれば、大きな付勢力を得ることができるので、感光材料を搬送する際に、ローラ対は感光材料を確実に圧着することができ、ローラと感光材料との間で滑りが生じにくくなり、円滑に感光材料を搬送することができる。また、上述のように大きな付勢力を得ることができるので、回転伝達機構が他方のローラに作用させていた回転力を取り除くと、ローラ対が、該回転力が取り除かれる状態に追従するようにローラ対を迅速に圧着することができる。すなわち、大きな処理能力を要望される写真処理装置にあっては、ローラ対の圧着、及び圧着解除に要する時間が、処理能力に大きく影響するが、ローラ対に大きな付勢力を与えることで、ローラ対の圧着等を迅速に行うことができる。
【００２２】
【発明の実施の形態】
以下、本発明の一実施形態にかかる写真処理装置ついて図面を参酌しつつ説明する。
【００２３】
本実施形態にかかる写真処理装置は、図１及び図２に示す如く、当該写真処理装置の操作を行う操作部１と、感光材料に露光処理を施す露光処理部２と、露光処理部２で露光処理が施された感光材料Ｐに現像処理を施す現像処理部３と、現像処理部３で現像処理が施された感光材料をオーダー毎、或いはサイズ毎に仕分ける仕分部４とで構成されている。
【００２４】
前記操作部１は、各処理の処理状況や操作案内等を表示するモニター５と、該モニター５の表示に基づきキー入力を行う入力装置６と、ＣＤ−ＲＯＭやメモリーカード等のメディアから画像データを読み込む読込装置７と、入力装置６からの入力データや、読込装置７で読み込んだ画像データを適宜演算処理し、露光処理部２の動作等を制御する演算処理装置８（以下、ＣＰＵという）とを備えている。
【００２５】
前記露光処理部２は、長尺な感光材料を収納する一対のマガジン９ａ，９ｂと、該マガジン９ａ，９ｂから引き出された感光材料Ｐを所定の長さで切断する切断装置１０と、該切断装置１０により切断された感光材料Ｐを露光処理する露光処理装置１１と、前記切断装置１０により切断された感光材料Ｐを前記露光処理装置１１に向けて搬送する搬送系である搬送装置１２とで構成され、各装置間には、搬送方向に所定間隔を有して配置された回転可能な搬送用ローラ対が配置されており、当該搬送用ローラ対で感光材料を圧着して各装置間における感光材料の搬送を行うように構成されている。なお、一対のマガジン９ａ，９ｂそれぞれには、幅の等しい同サイズの感光材料が収納される場合と、幅の異なる二種類の感光材料のそれぞれが収納される場合があるが、本実施形態においては、幅の異なる二種類の感光材料のそれぞれが一対のマガジン９ａ，９ｂに収納される場合を例に挙げて説明する。
【００２６】
前記一対のマガジン９ａ，９ｂのうち、露光処理部２内の下部で横方向に併設されている。一方のマガジン９ａには、幅の狭い感光材料Ｐがロール状にされて回転可能に収納され、他方のマガジン９ｂには、幅の広い（例えば幅の狭い感光材料Ｐの略二倍、又は略三倍の幅の）感光材料Ｐがロール状にされて回転可能の収納されている。
【００２７】
前記切断装置１０は、露光処理部２内の下部に配置された前記一対のマガジン９ａ，９ｂ間に位置して、前記一対のマガジン９ａ，９ｂのそれぞれの下流側に設けられており、マガジン９ａ，９ｂから引き出された感光材料Ｐを切断すべく、互いに接離する一対のカッター１３を備えている。該一対のカッター１３は、一対のマガジン９ａ，９ｂの何れか一方から感光材料Ｐが引き出された際に、所望するプリントサイズに対応するように、引き出した感光材料Ｐの幅を考慮して該感光材料Ｐを所定長さに切断し、プリント用の感光材料Ｐを作成し得るように構成されている。
【００２８】
前記露光処理装置１１は、露光処理部２内の上部に設けられており、搬送中の感光材料Ｐの乳剤面を露光する露光ヘッド１４と、該露光ヘッド１４が感光材料Ｐの乳剤面を露光する露光領域を挟んで感光材料Ｐの搬送方向の上流側及び下流側（上下方向）のそれぞれに設けられた露光用搬送ローラ対１５ａ，１５ｂ（一対の露光用搬送ローラ）とで構成されている。
【００２９】
前記露光ヘッド１４は、ハロゲンランプ等からなる光源１６と、該光源１６に光ファイバー束１７を介して接続された光シャッター１８とで構成されており、該光シャッター１８は、感光材料Ｐの搬送方向と直交したライン状をなし、搬送される感光材料Ｐの乳剤面と対向するように設けられている。
【００３０】
前記光シャッター１８は、チタン酸ジルコン酸鉛にランタンを添加することにより得られる透光性電圧セラミックス、いわゆるＰＬＺＴで構成されており、該ＰＬＺＴは、所定レベルの電圧が印加されると光を透過させ得る状態となる一方、電圧の印加が停止されると光を遮断する性質を有している。つまり、光シャッター１８は、画像データ読み込まれた画像データを基に基づいて、操作部１のＣＰＵ８から電圧の印加、及び印加の停止が指示され、光源１６からの光の透過及び遮断が制御されて感光材料ＰにＲＧＢ各色の光を照射して露光し得るように構成されている。
【００３１】
前記露光用搬送ローラ対１５ａ，１５ｂのそれぞれは、露光中の感光材料Ｐを圧着した状態で下流側（現像処理部３）に向けて搬送するように構成されている。また、前記露光用搬送ローラ対１５ａ，１５ｂは、圧着状態を解除し得る構成、すなわち、露光用搬送ローラ対１５ａ，１５ｂが相対的に離間するように構成されている。このように構成された上流側の露光用搬送ローラ対１５ａは、露光中の感光材料Ｐに搬送方向の露光ぶれ（走査方向の露光ムラ）が生じるのを防止すべく、露光用搬送ローラ対１５ａの各露光用搬送ローラを回転させたまま、圧着を解除した状態で感光材料Ｐが送り込まれるまで待機し、搬送装置１２によって搬送されてくる感光材料Ｐが露光用搬送ローラ対１５ａ間に送り込まれた後に、感光材料Ｐを圧着して下流側（光シャッター１８と対向する露光領域）に向けて搬送するように構成されている。なお、本実施形態において圧着とは、露光用搬送ローラ対１５ａ，１５ｂを構成する露光用搬送ローラ（後述する受渡部のローラ対にあっては、該ローラ対を構成するローラ体）同士で感光材料を挟持する以外に、ローラ同士を当接させることも含む概念である。
【００３２】
また、該上流側の露光用搬送ローラ対１５ａは、感光材料Ｐにおける下流側の端部が、上流側の露光用搬送ローラ対１５ａから外れる際には、感光材料Ｐの上流側の部分が露光領域に位置しているので、感光材料Ｐの下流側の端部が上流側の露光用搬送ローラ対１５ａから外れる際の衝撃で露光処理に悪影響を与えないように、圧着を解除するように構成されている。
【００３３】
一方、下流側の露光用搬送ローラ対１５ｂは、上流側の露光用搬送ローラ対１５ａと同様に、上流側の露光用搬送ローラ対１５ａで搬送されつつ露光処理されている感光材料Ｐに衝撃を与えないように、露光用搬送ローラ対１５ｂの各露光用搬送ローラを回転させたままで圧着を解除した状態で待機し、露光領域から下流に向けて搬送されてくる感光材料Ｐが露光用搬送ローラ対１５ｂ間に送り込まれた後に、感光材料Ｐを圧着して搬送するように構成されている。
【００３４】
前記搬送装置１２は、図３に示す如く、前記切断装置１０の下流側（上方）に設けられており、上流側の切断装置１０から搬送されてきた感光材料Ｐを受け取り、下流側に当該感光材料Ｐを送り出す受渡部１９と、該受渡部１９から送り出された感光材料Ｐを露光処理装置１１に搬送する搬送部２０とで構成されている。
【００３５】
前記受渡部１９は、感光材料Ｐの搬送方向（写真処理装置の上下方向）に配置された二組のローラ対２１，２１と、該ローラ対２１を回転駆動する駆動源であるパルスモータ２２とを備えている。なお、二組のローラ対２１，２１のそれぞれは同一構成を有している。
【００３６】
前記ローラ対２１は、回転軸２３の周りにゴムローラ２４が設けられた一対のローラであるローラ体２５ａ，２５ｂで構成されており、一方のローラ体２５ａの回転軸２３には、感光材料Ｐの搬送方向に対応した回転方向に対して逆回転方向の回転を伝達し、ローラ対２１，２１の圧着を解除する圧着解除機構２６が設けられている。
【００３７】
前記一方のローラ体２５ａは、該搬送装置１２の骨組みを形成するフレーム２７に両端部近傍が軸受２８を介して枢着されている。なお、ローラ体２５ａの一端部は、フレーム２７から外部に延出しており、該一端部には、歯付プーリー２９が取り付けられている。該ローラ体２５ａは、前記歯付プーリー２９と、上述したパルスモータ２２の駆動軸に取り付けられた駆動用の歯付プーリー３０とに無端ベルト３１が掛け渡されることにより、正逆転駆動可能になっている。
【００３８】
前記圧着解除機構２６は、一方向の回転のみを伝達する前記回転伝達機構であるワンウェイクラッチ３２により構成されており、該ワンウェイクラッチ３２には、押圧体であるカム３３が固着されている。
【００３９】
前記ワンウェイクラッチ３２は、ローラ体２５ａの回転軸２３に嵌着された内輪３４（図４参照）と、一方の回転（ローラ体２５ａが感光材料を搬送する際の回転方向に対して逆回転方向の回転）のみを伝達するラチェット機構（図示せず）を介して、前記内輪３４に外嵌された外輪３５（図４参照）とで構成されている。
【００４０】
前記カム３３は、前記ワンウェイクラッチ３２（ローラ体２５ａ）の回転軸心と同軸の偏心カムである。該カム３３は、側面視楕円状をなした板材であり、外周の一カ所で、ローラ対２１の軸心間距離Ｄ（図４参照）より長い最大の曲率半径Ｒ（図４参照）を有するように、長軸方向の一方側に偏った位置に中心位置（回転軸心）が設定されている。
【００４１】
前記他方のローラ体２５ｂは、両端部に軸受３６が取り付けられており、該軸受３６は、フレーム２７に形成された長穴３７内に移動可能に取り付けられている。前記長穴３７は、感光材料Ｐの搬送方向に対して直交方向（一方のローラ体２５ａに対して離間する方向）に形成されている。また、該長穴３７には、前記軸受３６（他方のローラ体２５ｂ）を一方のローラ体２５ａに向けて付勢する付勢手段である圧縮バネ３８（以下、コイルバネという）が内装されている。
【００４２】
前記搬送部２０は、上下方向に配されて前記フレーム２７に固定された一対のレール３９と、該レール３９に沿って移動する一対の搬送体４０とで構成されている。
【００４３】
前記搬送体４０は、前記レール３９に摺動可能に取り付けられた昇降体４１と、該昇降体４１に形成された感光材料Ｐの搬送方向に対して直交方向の横レール４２に、摺動可能に取り付けられた横方向移動体４３とで構成されている。
【００４４】
前記昇降体４１は、横方向移動体４３を移動させる横移動用モータ４４を備えており、該横移動用モータ４４の駆動軸にはプーリー４５が固着されている。また、昇降体４１には、前記プーリー４５と横方向移動体４３の移動方向に所定間隔を有して別のプーリー（図示せず）が枢着されており、該プーリーと横移動用モータ４４のプーリー４５とに無端ベルト４６が掛け渡され、該無端ベルト４６の一部に横方向移動体４３が接続されている。つまり、横移動用モータ４４を駆動すると、無端ベルト４６の回転により、横方向移動体４３が横レール４２に沿って移動するようになっている。
【００４５】
このように構成された昇降体４１は、フレーム２７の上部に枢着されたプーリー４７と、フレーム２７の下部に設けられた昇降用モータ４８の駆動軸に固着されたプーリー（図示せず）に掛け渡された無端ベルト４９の一部に接続されている。したがって、昇降用モータ４８を駆動すると、無端ベルト４９の回転により昇降体４１（搬送体４０）がレール３９に沿って昇降することになる。
【００４６】
前記横方向移動体４３は、受渡部１９から送り出された感光材料Ｐをガイドすべく、所定間隔を有して対向配置された一対のガイド板５０，５０を備えている。前記一対のガイド板５０，５０のうちの一方には、開口（図示せず）が形成されており、該開口から突出て他方のガイド板５０とともに感光材料Ｐを把持する突起（図示せず）及び該突起を出退させるカム機構（図示せず）に接続された把持用モータ５１が設けられている。
【００４７】
前記一対のガイド板５０、５０の上端部には、露光処理装置１１に隣接して上流側に配置された搬送ローラ対５２（図２参照）の軸方向の外周形状に対応するように、所定形状の切り欠きが形成されている。つまり、搬送体４０が上限に位置した際に、該搬送ローラ対５２間とガイド板５０，５０間とが対応した状態で、前記搬送ローラ対５２が、ガイド板５０の切り欠き部内に位置するように構成されている。
【００４８】
上記構成の搬送装置１２は、以下のように動作する。一方のマガジン９ａ（幅の狭い感光材料Ｐ）が選択され、且つ感光材料Ｐにおける搬送方向の長さが、受渡部１９の下流側のローラ対２１と露光処理装置１１の上流側に配置された搬送ローラ５２との間隔より短い長さのプリントサイズ（例えば、サービスサイズ）に設定された場合には、一方のマガジン９ａから引き出された感光材料Ｐが切断装置１０によってプリントサイズに対応した所定長さ（受渡部１９の下流側のローラ対２１と露光処理装置１１の上流側に配置された搬送ローラ５２との間隔より短い長さ）に切断され（以下、切断された感光材料を小判感光材料という）、上方に向けて搬送されてきた小判感光材料Ｐを、一対のレール３９，３９の略中間位置に対応させるように、受渡部１９の一対のローラ対２１によって搬送部２０に向けて搬送する。
【００４９】
この際、パルスモータ２２が、無端ベルト３１を介して小判感光材料Ｐの搬送方向に対応させてローラ体２５ａを回転させる一方、ローラ体２５ａの回転軸２３に取り付けられたカム３３は、ワンウェイクラッチ３２により回転が断絶されてフリーな状態となっている。これにより、ローラ対２１は、コイルバネ３８の付勢により、小判感光材料Ｐを圧着した状態で搬送している（図４（イ）参照）。なお、後続の感光材料が小判感光材料Ｐである場合には、小判感光材料Ｐが受渡部１９から搬送部２０に到達するまでに、一方の搬送体４０が、ガイド板５０を一対のレール３９，３９の略中間位置に位置させるように、横方向移動体４３を移動させつつ下限に移動し、後続の感光材料が後述する大判感光材料Ｐである場合には、大判感光材料Ｐの幅に対応すべく、大判感光材料Ｐが受渡部１９から搬送部２０に到達するまでに、一対の搬送体４０，４０の両方が、下限に移動する。
【００５０】
そして、下限に到達した搬送体４０のガイド板５０，５０間にローラ対２１，２１によって小判感光材料Ｐが送り込まれ、小判感光材料Ｐの上流側の端部がガイド板５０，５０の切り欠き部分に位置すると、パルスモータ２２の駆動を停止するとともに、把持用モータ５１を駆動してガイド板５０開口から突起を突出させて当該小判感光材料Ｐを把持する。
【００５１】
その後、搬送体４０は、小判感光材料Ｐの上流側の端部が、受渡部１９における下流側のローラ対２１から離脱するまで下流側（上方）に移動した後に、順次搬送されてくる小判感光材料Ｐを露光処理装置１１で並列状態で搬送しながら露光処理できるように、小判感光材料Ｐを把持した横方向移動体４３を横方向に移動させつつ、露光処理装置１１に向かって移動する。この際、露光処理装置１１の上流側に配置された搬送ローラ対５２は、圧着を解除した状態で待機している。
【００５２】
そして、搬送体４０が上限に到達すると、ガイド板５０の切り欠き部内に位置した搬送ローラ対５２で小判感光材料Ｐを圧着するとともに、ガイド板５０及び突起による小判感光材料Ｐの把持を解除し、搬送ローラ対５２で圧着した小判感光材料Ｐを露光処理装置１１の露光領域に順次送り込んで露光処理を施す。なお、小判感光材料Ｐが上流側の露光用搬送ローラ対１５ａで圧着された後に、搬送ローラ対５２の圧着は解除され、当該搬送ローラ対５２の回転による小判感光材料Ｐへの振動の伝達を防止している。
【００５３】
他方のマガジン９ｂ（幅の広い感光材料）が選択され、且つ感光材料Ｐにおける搬送方向の長さが、受渡部１９の下流側のローラ対２１と露光処理装置１１の上流側に配置された搬送ローラ５２との間隔より長い長さのプリントサイズ（例えば、全紙サイズ、八つ切りサイズ、四つ切りサイズ）に設定された場合には、他方のマガジン９ｂから引き出された感光材料Ｐが切断装置１０によってプリントサイズに対応した所定長さ（受渡部１９の下流側のローラ対２１と露光処理装置１１の上流側に配置された搬送ローラ５２との間隔より長い長さ）に切断され（以下、切断された感光材料を大判感光材料という）、上方に向けて搬送されてきた大判感光材料Ｐを、一対のレール３９，３９の略中間位置に対応するように受渡部１９の一対のローラ対２１，２１によって搬送部２０に向けて搬送する。
【００５４】
この際、パルスモータ２２が、大判感光材料Ｐの搬送方向に対応させてローラ体２５ａを回転させる一方、ローラ体２５ａの回転軸２３に取り付けられたカム３３は、ワンウェイクラッチ３２により回転が断絶されてフリーな状態となっている。これにより、ローラ対２１は、コイルバネ３８の付勢により、大判感光材料Ｐを圧着した状態で搬送している（図４（イ）参照）。なお、後続の感光材料が小判感光材料Ｐである場合には、小判感光材料Ｐが受渡部１９から搬送部２０に到達するまでに、一方の搬送体４０が、ガイド板５０を一対のレール３９，３９の略中間位置に位置させるように、横方向移動体４３を移動させつつ下限に移動し、後続の感光材料が後述する大判感光材料Ｐである場合には、大判感光材料Ｐの幅に対応すべく、大判感光材料Ｐが受渡部１９から搬送部２０に到達するまでに、一対の搬送体４０，４０の両方が下限に移動する。
【００５５】
その後、下限に到達した搬送体４０のガイド板５０，５０間にローラ対２１，２１によって大判感光材料Ｐが送り込まれ、大判感光材料Ｐの上流側の端部がガイド板５０，５０の切り欠き部分に位置すると、パルスモータ２２の駆動を停止するとともに、把持用モータ５１を駆動してガイド板５０開口から突起を突出させて当該大判感光材料Ｐを把持する。
【００５６】
そして、パルスモータ２２を再度正回転方向（感光材料Ｐの搬送に対応した回転方向）に駆動してローラ対２１で大判感光材料Ｐを下流側に送り出すとともに、搬送体４０がローラ対２１の送り出し速度よりも遅い速度で上流側に向かって移動する。搬送体４０が上限に到達しても、感光材料Ｐの下流側の端部が切断装置１０より上流側に位置している場合には、受渡部１９のローラ対２１で感光材料Ｐの下流側の端部が切断装置１０における感光材料Ｐの切断位置に位置するまで上流側へと感光材料Ｐを送り出した後、受渡部１９のパルスモータ２２の駆動を停止して（感光材料Ｐの搬送を停止して）、切断装置１０で感光材料Ｐを切断する。この状態で、切断された所定長さの感光材料Ｐは、上流側の搬送ローラ対５２と受渡部１９の下流側のローラ対２１との間で撓んだ状態になっている。
【００５７】
その後、ガイド板５０の切り欠き部内に位置した搬送ローラ対５２で大判感光材料Ｐを圧着するとともに、ガイド板５０による大判感光材料Ｐの把持を解除し、さらに、図４（ロ）に示す如く、パルスモータ２２を逆回転方向（大判感光材料Ｐの搬送方向に対応した回転に対して逆回転方向）に駆動して、ワンウェイクラッチ３２が回転を伝達してカム３３を回転させる。
【００５８】
そして、上述の如く、最大の曲率半径Ｒがローラ対２１間の軸間距離Ｄより長く設定されたカム３３の外周面が他方のローラ体２５ｂの回転軸２３を押圧し、該押圧力の分力がカム３３の回転により他方のローラ体２５ｂを付勢したコイルバネ３８のバネ力よりも徐々に大きくなり、他方のローラ体２５ｂを一方のローラ体２５ａに対して離間方向に移動させ、ローラ対２１の圧着が解除される。
【００５９】
その後、搬送ローラ対５２で圧着された大判感光材料Ｐが、露光処理装置１１の露光領域に順次送り込まれて露光処理が施される。なお、大判感光材料Ｐにおける上流側の端部が露光用搬送ローラ対１５ａによって圧着された後に、搬送ローラ対５２の圧着は解除される。このようにすることで、上流側の端部が露光領域に到達して露光が開始されても、ローラ対２１の回転による振動や、露光処理装置１１の搬送速度とローラ対２１の搬送速度との速度差が生じず、該大判感光材料Ｐの露光に悪影響を及ぼすのを防止することができる。
【００６０】
なお、該搬送装置１２は、幅の狭い感光材料が収納された一方のマガジン９ａが選択された場合であっても、感光材料Ｐにおける搬送方向の長さが、受渡部１９の下流側のローラ対２１と露光処理装置１１の上流側に配置された搬送ローラ５２との間隔より長い長さ（例えば、パノラマサイズに対応した長さ）に設定された場合には、他方のマガジン９ｂ（幅の広い感光材料）が選択され、且つ感光材料Ｐにおける搬送方向の長さが、受渡部１９の下流側のローラ対２１と露光処理装置１１の上流側に配置された搬送ローラ５２との間隔より長い長さのプリントサイズに設定された場合と同様に動作する。
【００６１】
図２に戻り、前記現像処理部３は、複数の槽からなる現像処理槽５３と、該現像処理槽５３を通過した感光材料Ｐを乾燥させる乾燥装置５４とを備えている。
【００６２】
前記現像処理槽５３における複数の槽のそれぞれには、現像液が入れられており、露光処理部２にて露光処理が施された小判感光材料Ｐ及び大判感光材料Ｐは、各槽の現像液への浸漬と現像液からに引き上げが繰り返されて、乾燥装置５４へと搬送されて乾燥処理が行われ、現像液の浸漬による感光材料の濡れが乾燥される。なお、小判感光材料Ｐにおける現像処理部３での処理は、露光処理前に搬送装置１２により並列配置された状態を維持したまま行われる。
【００６３】
前記仕分部４は、傾動可能な板材からなる仕分板５５を備えており、該仕分板５５を傾動させることで感光材料Ｐの搬送方向を切り替え、小判感光材料Ｐと大判感光材料Ｐとを仕分けるように構成されている。また、仕分部４は、仕分板５５で仕分けられた小判感光材料Ｐを搬送するコンベア５６と、該コンベア５６によって搬送されてくる小判感光材料Ｐをオーダー毎に仕分ける仕分装置５７を備えている（図１参照）。
【００６４】
前記仕分装置５７は、上下方向に移動可能に配設された複数のトレー５８を備えており、該トレー５８が上下方向に移動することで、コンベア５６によって搬送されてくる小判感光材料Ｐを各トレー５８へオーダー毎に振り分けるように構成されている。
【００６５】
上記構成の写真処理装置によれば、露光処理に悪影響を及ぼす可能性のある受渡部１９のローラ対２１の圧着を解除する圧着解除機構２６を設けたので、露光処理装置１１により感光材料Ｐを露光する際、特に露光領域とローラ対２１とに跨る長さを有する大判感光材料Ｐを露光する際に、ローラ対２１の圧着を解除することができ、露光処理中の大判感光材料Ｐにローラ対２１の回転等による振動や、露光処理装置１１の搬送速度とローラ対２１の搬送速度との速度差等による、露光処理中の感光材料Ｐの対する露光のぶれ（露光処理を阻害すること）を防止することができる。
【００６６】
その上、圧着解除機構２６が、感光材料Ｐの搬送方向に対応する回転に対して逆回転方向の回転を伝達するワンウェイクラッチ３２により構成されるとともに、該ワンウェイクラッチ３２には、他方のローラ体２５ｂを一方のローラ体２５ａから離間させるように、逆回転方向の回転力を他方のローラ体２５ｂに作用させるカム３３が設けられているので、一つのパルスモータ２２（駆動源）で、感光材料Ｐを搬送するローラ対２１の回転駆動、及び当該ローラ対２１の圧着の解除の駆動を行うことができる。
【００６７】
したがって、ローラ対２１の圧着解除専用の駆動源、及び該駆動源からの回転でローラ体２５ａ，２５ｂを離間させる部材を別途設ける必要がなく、部品点数の削減、及びコスト削減することができる。また、上述の如く、一方のローラ体２５ａの回転軸に設けたワンウェイクラッチ３２によりローラ対２１の圧着の解除を行うようにして駆動源及び部品の削減が可能となったため、搬送装置１２（写真処理装置）を小型化することができる。
【００６８】
また、平面視略楕円状のカム３３で他方のローラ体２５ｂを押圧して、ローラ対２１の圧着を解除するようにしたので、他方のローラ体２５ｂの回転軸２３に接触するカム３３の外周形状により、他方のローラ体２５ｂの回転軸２３を徐々に押圧（圧着）、或いは徐々に押圧（圧着）を解除することでき、ローラ対２１の圧着、及び該圧着の解除を行う際に衝撃が発生するのを防止することができる。したがって、走査露光は小さな振動でも悪影響がでるが、上述のように衝撃が発生するのを防止することができるので、正確且つ円滑な露光処理を行うことができる。
【００６９】
また、ローラ対２１を圧着させる付勢手段をコイルバネ３８により構成し、該コイルバネ３８のバネ力（付勢力）を他方のローラ体２５ｂを軸支した軸受３６に加えるようにしたので、他方のローラ体２５ｂを円滑に回転させることは勿論のこと、他方のローラ体２５ｂを効率よく一方のローラ体に当接させ、ローラ対２１を圧着させることができる。
【００７０】
尚、本発明の写真処理装置は、上記実施形態に限定されるものではなく、本発明の要旨を逸脱しない範囲内において種々変更を加え得ることは勿論である。
【００７１】
本実施形態において、搬送系である搬送装置１２を受渡部１９と搬送部２０とで構成したが、露光処理装置１１に向けて感光材料Ｐを搬送する搬送系は、搬送部２０を備えたものに限定されるものではなく、受渡部１９と同一の構成を有するもの、すなわち搬送部２０に代えてローラ対２１を、当該受渡部１９と露光処理装置１１との間に所定間隔を有して複数設けたものであってもよい。このようにローラ対２１が配置された場合も、本実施形態と同一の圧着解除機構２６を設けることは勿論のことであり、駆動源からの駆動を無端ベルトを介して各ローラ対２１に伝達するようにすれば、一つ或いは少数の駆動源でローラ対の駆動、及びローラ対の圧着の解除を行うことができる。
【００７２】
本実施形態において、ワンウェイクラッチ３２に押圧体としての平面視楕円状のカム３３を固着したが、押圧体は、平面視楕円状のカム３３に限定されるものではなく、ローラ対２１の軸間距離Ｄよりも長い長さを有する棒体等であってもよい。この場合、棒体をワンウェイクラッチ３２に固着し、逆回転方向の回転力を棒体（押圧体）を介して他方のローラ体２５に付勢するように構成するとともに、他方のローラ体２５を該回転力に対応した方向に移動できるようにすればよい。このようにすれば、感光材料Ｐを搬送すべくパルスモータ２２を正回転方向に駆動すると、ワンウェイクラッチ３２が当該正回転方向の回転を伝達せず、棒体からなる押圧体は、フリーな状態となるため、コイルバネ３８の付勢力により他方のローラ体２５ｂが一方のローラ体２５ａ側に移動してローラ対２１を圧着させることができる。
【００７３】
また、本実施形態において、他方のローラ体２５ｂを一方のローラ体２５ａから離間させるべく、カム３３で他方のローラ体２５ｂの回転軸２３を直接押圧するようにしたが、カム３３（押圧体）で他方のローラ体２５ｂを直接押圧（作用）させるものに限定されるものではなく、例えば、他方のローラ体２５ｂの回転軸２３を軸支した軸受３６や、該軸受３６に別途設けた受圧部材を等を押圧してもよい。すなわち、ワンウェイクラッチ３２からの逆回転方向の回転力を間接的に他方のローラ体２５ｂに伝達してもよい。
【００７４】
本実施形態において、他方のローラ体２５ｂを円滑に一方のローラ体２５ａから離間させるべく、フレーム２７に真っ直ぐな長穴３７を形成したが、該長穴３７は、真っ直ぐに形成されたものに限定されるものではなく、一端が他端に比して一方のローラ体２５ａから離間し、且つ一方のローラ体２５ａ側に凹状をなした円弧状の長穴であってもよい。このようにすれば、カム３３が他方のローラ体２５ｂの回転軸２３を上方、或いは下方から押圧した際に、他方のローラ体２５に大きな押圧力が生じなくても、他方のローラ体１５ｂを一方のローラ体１５aから離間させることができ、ローラ対２１の圧着の解除を円滑に行うことができる。すなわち、本実施形態におけるフレーム２７の長穴３７をカム３３の回転力が作用し易い方向に形成すればよい。
【００７５】
本実施形態において、ローラ対２１を圧着させる付勢手段としてコイルバネ３８を設けたが、付勢手段は、コイルバネ３８に限定されるものではなく、例えば、ねじりコイルバネで他方のローラ体２５ｂを一方のローラ体２５ｂに向けて付勢したり、ローラ対２１の各回転軸２３，２３に所定の弾性を有する無端のゴムベルトを掛け渡したりしてもよい。
【００７６】
【発明の効果】
以上の如く、本発明の効果として、ローラを回転駆動させる駆動源の回転のうち、感光材料を搬送する際のローラの回転方向に対して逆回転方向の回転のみを伝達する回転伝達機構を設け、該回転伝達機構から伝達される逆回転方向の回転力でローラ対を相対的に離間させるようにしたので、一つの駆動源で感光材料を搬送するローラ対の回転駆動、及び該ローラ対の圧着の解除を行うことができる。また、圧着解除用の駆動源等の部品を必要としないため、部品コストを削減することができる。
【図面の簡単な説明】
【図１】本発明の一実施形態にかかる写真処理装置の全体斜視図を示す。
【図２】同実施形態にかかる写真処理装置の全体概略構成図を示す。
【図３】同実施形態にかかる搬送装置の全体斜視図を示す。
【図４】同実施形態にかかる受渡部におけるローラ対の状態を説明する説明図であって、（イ）は、ローラ対が感光材料を搬送している状態を示し、（ロ）は、他方のローラ体が一方のローラ体のカムにより押圧され、ローラ対の圧着が解除された状態を示す。
【符号の説明】
１…操作部、２…露光処理部、３…現像処理部、４…仕分部、５…モニター、６…入力装置、７…読込装置、８…演算処理装置（ＣＰＵ）、９ａ，９ｂ…マガジン、１０…切断装置、１１…露光処理装置、１２…搬送装置（搬送系）、１３…カッター、１４…露光ヘッド、１５ａ，１５ｂ…露光用搬送ローラ対、１６…光源、１７…光ファイバー束、１８…光シャッター、１９…受渡部、２０…搬送部、２１…ローラ対、２２…パルスモータ（駆動源）、２３…回転軸、２４…ゴムローラ、２５ａ，２５ｂ…ローラ体、２６…圧着解除機構、２７…フレーム、２８…軸受、２９，３０…歯付プーリー、３１…無端ベルト、３２…ワンウェイクラッチ（回転伝達機構）、３３…カム（押圧体）、３４…内輪、３５…外輪、３６…軸受、３７…長穴、３８…コイルバネ（圧縮バネ：付勢手段）、３９…レール、４０…搬送体、４１…昇降体、４２…横レール、４３…横方向移動体、４４…横移動用モータ、４５…プーリー、４６…無端ベルト、４７…プーリー、４８…昇降用モータ、４９…無端ベルト、５０…ガイド板、５１…把持用モータ、５２…搬送ローラ対、５３…現像処理槽、５４…乾燥装置、５５…仕分板、５６…コンベア、５７…仕分装置、５８…トレー
【図１】
0003922539.tif 000002
【図２】
0003922539.tif 000003
【図３】
0003922539.tif 000004
【図４】
0003922539.tif 000005